(57)【要約】【課題】パチスロ遊技機を島に着脱自在に取付ける機能を備えた取付装置を、提供する。【解決手段】取付装置１００は、設置台ユニットの上板の後方に取付けられるようになっており、上側の第１位置と下側の第２位置に自在に位置決めできる可動長部材１３０を備えている。可動長部材１３０の下には、押圧部材１４０が取付けられている。可動長部材１３０が第２位置に位置すると、押圧部材１４０がその下面で、パチスロ遊技機の上面を下方に押圧して、押圧部材１４０と下板の間でパチスロ遊技機が挟持されることにより、パチスロ遊技機が設置台ユニットに固定される。可動長部材１３０が第１位置に移動すると、パチスロ遊技機の設置台ユニットへの固定が解除される。【選択図】図４
2015173924.tif 000002
【特許請求の範囲】
【請求項１】
パチスロ遊技機の下面がその上に載置される水平な下板と、前記下板の上に載置されたパチスロ遊技機の上面がその僅かに下に位置するようにされた水平な上板と、を有する、パチスロ遊技機が固定される設置台ユニットに、パチスロ遊技機を着脱自在に固定するためのパチスロ遊技機の取付装置であって、
前記上板の後方に位置するようにして、前記上板に固定される本体部と、
前記本体部に対して取付けられた、前記本体部に対して上下動可能とされ、上方の第１位置と、それより下方の第２位置に位置することのできるようにされた可動部材と、
前記可動部材の下方に取付けられた、前記可動部材が前記第２位置に位置するときにその下面が、前記上板の後方に位置するパチスロ遊技機の上面を押圧する押圧部材と、
を備えている、
取付装置。
【請求項２】
前記押圧部材の下面は、パチスロ遊技機の幅方向が長手方向となる横長形状をしている、
請求項１記載の取付装置。
【請求項３】
前記押圧部材の下面の前記パチスロ遊技機の幅方向の長さは、前記パチスロ遊技機の幅方向の長さの１／３以上である、
請求項２記載の取付装置。
【請求項４】
前記押圧部材の下面の前後方向の長さは、２ｃｍ以上である、
請求項１〜３のいずれかに記載の取付装置。
【請求項５】
前記押圧部材の下面には、弾性を有する素材でできた弾性部材が取付けられている、
請求項１記載の取付装置。
【請求項６】
前記弾性部材は、前記押圧部材の下面の全面に取付けられている、
請求項５記載の取付装置。
【請求項７】
前記本体部は、前記上板の後面と下面にそれぞれ沿う背面部及び底面部を有する断面略Ｌ字型の固定部材を備えており、前記背面部に設けられた孔を貫通させたネジを前記上板に前向きに打込むこと、及び前記底面部に設けられた孔を貫通させたネジを前記上板に上向きに打込むことの少なくとも一方を行うことにより、前記上板に固定できるようになっている、
請求項１記載の取付装置。
【請求項８】
前記可動部材を前記第１位置と前記第２位置の間で移動させるための操作を行うための操作手段を備えており、
前記操作手段は、前側から操作できるようになっている、
請求項１記載の取付装置。
【請求項９】
前記設置台ユニットの前記パチスロ遊技機の上方の所定の位置には板で隠された開口が設けられているとともに、その板を移動させることによって開放できるようになっており、
前記操作手段は、前記開口の後側に、その操作が行われる部分である操作部が位置するようになっている、
請求項８記載の取付装置。
【発明の詳細な説明】
【技術分野】
【０００１】
本発明は、パチスロ遊技機（本願では、これを単に「遊技機」という場合がある。）を、例えば、パチスロ場である一般店舗に設置されるものであり、パチスロ遊技機を設置するための構造物として一般的な島として具現化される、遊技機を固定するための設備である、設置台ユニットに取付けるために用いられるパチスロ遊技機の取付け装置に関する。
【背景技術】
【０００２】
パチスロ遊技機が一般店舗で使用される場合、パチスロ遊技機は一般に、設置台ユニットに取付けられる。一般的には島と呼ばれるものである設置台ユニット（以下、簡単のため、これが島であることにして話を進める。）には、並列に多数のパチスロ遊技機が取付けられる。
【０００３】
パチスロ遊技機の島への取付けは従来、以下のように行われている。
島は、遊技機をその上に載置する事実上水平な下板と、遊技機の上面の直ぐ上に位置する事実上水平な上板とを備えている。パチスロ遊技機は、下板の上に載置され、下板にその下面や或いは側面を、例えば釘を用いて固定されるとともに、上板にその上面やその側面を、例えば釘を用いて固定されることにより、島に固定される。
【０００４】
しかしながら、釘を用いた固定は面倒でありコストが嵩み、また、一度島に固定したパチスロ遊技機を島から取外すのも面倒でありコストが嵩む。パチスロ遊技機は、一定の期間毎に入れ替えられるのが通常であるから、その島への固定、島からの取外しの都度、手間、コストが嵩むのは由々しき問題である。特にパチスロ遊技機の島へ釘を使って固定する際には、パチスロ遊技機の中のコインの排出に関わるホッパーがその作業の妨げとなるので、一度ホッパーを、工具を用いていわば分解してパチスロ遊技機から取出し、パチスロ遊技機を釘で島に固定してから、ホッパーをまたパチスロ遊技機に戻すという作業を行うのが通例である。かかる作業は面倒であるのはもちろんであるが、面倒であるということを超えた問題もある。パチスロ遊技機の世界では、法等による様々な制限があるが、複数のパチスロ遊技機のホッパーが錯誤により入れ替わった場合、パチスロ遊技機について不正があったという取扱いを行政機関等から受けるおそれがある。不正があったという取扱いをなされると、当該店舗の営業停止などの処分が課されることがあるため、店舗、或いはその経営会社にとっては大問題である。したがって、パチスロ遊技機島への取付けには、そのようなミスを生じないようにするための、様々な手間がかかっており、コストを押し上げている。
ホッパーに関わる問題を除いてではあるが、同様の課題は、パチンコ遊技機の島への取付けにも存在していた。しかしながら、最近は、島とパチンコ遊技機とを、釘を用いずに着脱自在に固定する取付装置が実用され、ある程度普及しつつある。
本願出願人は、そのようなパチンコ遊技機の取付け装置のパイオニアであり、その実施を古くから行う他、例えば、比較的最近であれば、特開２００９−１６５７５９の出願を行っている。
【発明の概要】
【発明が解決しようとする課題】
【０００５】
しかしながら、パチンコ遊技機の島への取付けにはそのような着脱自在の固定を行うという大きな技術に関するトレンドがあるものの、パチスロ遊技機の島への固定には、そのような、釘を用いずにその着脱自在な固定を行うようなトレンドはない。それは主に以下のような理由による。
【０００６】
まず、パチンコ遊技機の取付装置について説明する。
パチンコ遊技機が取付けられる島は、パチスロ遊技機が取付けられる島と略同様の構造を持っている。島には、遊技機がその上に載置される下板と、遊技機の上側に位置する上板が設けられている。特開２００９−１６５７５９に開示のパチンコ遊技機の取付装置は上板の上側に取付けて用いられる。
パチンコ遊技機の取付装置は、また、上下方向に移動可能であり且つ上下２つの位置で固定できる押圧部材を備えている。この押圧部材は、上板に穿たれた孔を貫通した棒状体の下端に固定されており、孔を介して上下する棒状体によって上下できるようになっている。押圧部材が下の位置に位置したとき、パチンコ遊技機は、押圧部材と、下板の間で強く挟持されることにより島に固定される。他方、押圧部材が上の位置に位置したとき、押圧部材はパチンコ遊技機から離れることにより、パチンコ遊技機の島への固定は解除される。このようにして、上述のパチンコ遊技機の取付装置は、釘を使わずに、島にパチンコ遊技機を着脱自在に固定できるようになっている。
パチンコ遊技機は、釘を用いて島に固定される場合も含めて、木製或いは金属製の板材を矩形に組んだ枠と呼ばれる部材の内側に固定された状態で島に固定される。枠には十分な剛性が与えられているので、その押圧部材が、それと下板との間でパチンコ遊技機（より詳細には、パチンコ遊技機が固定された枠）を上下方向から挟持する力が大きくとも、枠が破損するおそれはまずない。それは、上述の棒の先に取付けられた押圧部材が比較的小さくても同様である。
【０００７】
しかしながら、このようなパチンコ遊技機の取付装置をパチスロ遊技機の取付装置にそのまま流用できない理由がある。
上述のように、パチンコ遊技機の取付装置は、上板の上に取付けられ、また、上板に穿った孔を介して押圧部材を上下させるようになっている。
しかしながら、パチスロ遊技機が取付けられる島においては、パチスロ遊技機の上板の上方には、ドル箱置き場となる空間が存在する場合がある。そのような場合には、上板の上にパチスロ遊技機の取付装置を配置することがそもそも不可能である。
もっとも、上板の上に上述の如きドル箱置き場が存在しない島も中には存在する。そのような場合には、上板の上にパチスロ遊技機の取付装置を配置することはとりあえず可能となる。しかしながら、パチスロ遊技機の天井に当たる部材は、その一部に例えば排熱を目的とした開口が設けられている場合があり、或いは、リブ構造が採用されている場合があるため、枠を用いずに島に取付けられるパチスロ遊技機を、その上面を押圧部材で下向きに押圧して、下板との間でパチスロ遊技機を挟持することにより島にパチスロ遊技機を着脱自在に固定するようにしても、パチスロ遊技機の固定はできないか、場合によっては、パチスロ遊技機の破損を招くことも考えられる。そして、これらの可能性は、押圧部材が比較的小さい場合には益々高まる。
【０００８】
本願は、釘を用いずに、パチスロ遊技機を、島のような設置台ユニットに着脱自在に固定するための技術を提供することをその課題とする。
【課題を解決するための手段】
【０００９】
本願発明者は、上述の課題を解決するために、以下の発明を提案する。
本願発明は、パチスロ遊技機の下面がその上に載置される水平な下板と、前記下板の上に載置されたパチスロ遊技機の上面がその僅かに下に位置するようにされた水平な上板と、を有する、パチスロ遊技機が固定される設置台ユニットに、パチスロ遊技機を着脱自在に固定するためのパチスロ遊技機の取付装置である。
そして、このパチスロ遊技機の取付装置は、前記上板の後方に位置するようにして、前記上板に固定される本体部と、前記本体部に対して取付けられた、前記本体部に対して上下動可能とされ、上方の第１位置と、それより下方の第２位置に位置することのできるようにされた可動部材と、前記可動部材の下方に取付けられた、前記可動部材が前記第２位置に位置するときにその下面が、前記上板の後方に位置するパチスロ遊技機の上面を押圧する押圧部材と、を備えている。
この取付装置は、上板に固定される本体部を備えているが、本体部は上板の後方に位置するように設けられる。
また、この取付装置は、従来技術として説明したパチンコ遊技機の取付装置と同様に、上方の第１位置と、下方の第２位置との間で移動する可動部材を備えている。そして、可動部材の下方には押圧部材があり、押圧部材は、第２位置に位置するときに、従来技術のパチンコ遊技機の取付装置における押圧部材がパチンコ遊技機（正確には、それがその内側に取付けられた枠）を下板との間で挟持したのと同様に、パチスロ遊技機を下板との間で挟持することで、パチスロ遊技機を着脱自在に設置台ユニットに固定できるようになっている。
可動部材は、本体部が上板の後方に位置するのと同様に上板の後方に位置し、上板の後方で押圧部材とともに上下に移動する。つまり、本願発明の取付装置では、本体部、可動部材、押圧部材のすべてが上板の後方に位置する。それにより、この取付装置によれば、上板の上に仮にドル箱を置くための空間が設けられていても、その空間と取付装置が干渉し合うことがないから、取付装置を上板に取付けられないという事態が生じない。
そもそも本願発明を本願発明者が想到するに至ったのは、パチンコ遊技機が取付けられる枠の前後方向の長さは上板の前後方向の長さと殆ど同じで、枠は上板の殆ど真下にしか存在しないが、パチスロ遊技機の前後方向の長さは上板よりも通常大きく、上板の後方にパチスロ遊技機の上面の後方の部分が大きく食み出でるということに気付いたからである。つまり、パチスロ遊技機の上面の、上板の後に食み出ている部分は比較的大きいため、押圧部材として比較的その面積の大きなものを採用することができる。押圧部材として、パチスロ遊技機の上面に設けられることのある上述の開口に入り込まない、或いはパチスロ遊技機の上面に採用されうる上述のリブから逸れないような押圧部材を採用すれば、パチスロ遊技機の上面の構造によらず、パチスロ遊技機の固定を確実に行えるようになる。
しかも、本願の取付装置を用いて、設置台ユニットにパチスロ遊技機を取付ける場合には、上述のようなパチスロ遊技機からのホッパーの取外しと、ホッパーの再組付が必要なくなる。これは手間の削減としての効果が大きく、また、ホッパーの入替りに基づく諸問題も生じさせないという意味で有利である。
【００１０】
本願発明における押圧部材は、可動部材が第２位置にあるときにその下面がパチスロ遊技機の上面に当接し、可動部材が第１位置にあるときにその下面がパチスロ遊技機の上面から離れるようになっている。
本願発明における押圧部材の下面の形状、大きさには原則として制限はない。可動部材が第２位置にあるときに、押圧部材と下板の間で、パチスロ遊技機が、例えば遊技者がパチスロ遊技機に通常考えられる程度の力を加えたときにでも、パチスロ遊技機が転倒したり、移動したりしない程度の力で、パチスロ遊技機を設置台ユニットに固定できるようなものとされていればそれで足りる。
ただし、可動部材が第２位置にあるときにパチスロ遊技機の上面に加える力を分散させることを考慮するのであれば、押圧部材の下面の面積はある程度大きい方が好ましい。
また、可動部材が第２位置にあるときにパチスロ遊技機の上面をよりよく固定できるようにするためには、押圧部材の下面のパチスロ遊技機の幅方向の長さは、ある程度長い方が好ましい。その長さが長ければ、押圧部材の下面の面積を大きくするのが容易になる。
例えば、前記押圧部材の下面は、パチスロ遊技機の幅方向が長手方向となる横長形状をしており、前記押圧部材の下面の前記パチスロ遊技機の幅方向の長さは、前記パチスロ遊技機の幅方向の長さの１／３以上とすることができる。そうすれば、可動部材が第２位置にあるときに押圧部材の下面がパチスロ遊技機の上面に加える力をより分散させることが可能となるし、仮にパチスロ遊技機の上面に開口等があったとしても、押圧部材がその開口に落ち込む等してパチスロ遊技機の固定を行えないということが殆どなくなる。この効果をより得やすくするのであれば、押圧部材の下面のパチスロ遊技機の幅方向の長さは、パチスロ遊技機の幅方向の長さの２／３以上とするのがより好ましい。押圧部材の下面のパチスロ遊技機の幅方向の長さは、パチスロ遊技機の幅方向の長さの８割以上とすると、押圧部材がパチスロ遊技機を固定できない可能性は考えられない。
前記押圧部材の下面の前後方向の長さは、例えば１ｃｍ以上とすることができる。これが大きくなればなる程、押圧部材の下面の面積を稼ぎやすくなる。他方、この長さが大きくなりすぎると、設置台ユニット内に存在する他の部材との干渉の可能性が出てくるので、その前後方向の長さは１０ｃｍが上限とすべきである。その長さは、２ｃｍから８ｃｍが好ましい。
【００１１】
前記押圧部材の下面には、弾性を有する素材でできた弾性部材が取付けられていても良い。押圧部材の下面は上述のように、可動部材が第２位置にあるときにパチスロ遊技機の上面を押圧する。弾性を有する弾性部材が押圧部材の下面に取付けられていれば、押圧部材とパチスロ遊技機の間の摩擦係数が大きくなるから、パチスロ遊技機の設置台ユニットに対する固定がより強固なものとなる。
弾性部材は押圧部材の下面の一部のみに取付けられていても良い。この場合、弾性部材は、押圧部材の両端、例えば、押圧部材が上述のような横長形状なのであれば、その長手方向の両端のみに取付けられていても良い。
前記弾性部材は、また、前記押圧部材の下面の全面に取付けられていても良い。これによれば、パチスロ遊技機の設置台ユニットに対する固定をより強固なものとすることができる。また、弾性部材の厚さにもよるが、弾性部材が押圧部材の下面の一部にしかない場合には、弾性部材がある部分とない部分で、僅かではあるが段差ができてしまい、厳密に言うと、押圧部材の下面（これは、基本的には面一に構成される。）の全面によりパチスロ遊技機の上面を押圧することができなくなるおそれがある。弾性部材が押圧部材の下面の全面に取付けられていれば、そのような不具合が生じない。
【００１２】
本願発明の本体部は、上板の後方に位置するようにして上板に固定される。
そのような固定が可能な限り本体部は基本的に、どのようにして上板に固定されても構わない。
例えば、前記本体部は、前記上板の後面と下面にそれぞれ沿う背面部及び底面部を有する断面略Ｌ字型の固定部材を備えており、前記背面部に設けられた孔を貫通させたネジを前記上板に前向きに打込むこと、及び前記底面部に設けられた孔を貫通させたネジを前記上板に上向きに打込むことの少なくとも一方を行うことにより、前記上板に固定できるようになっていても良い。
このようにすることで、本体部を上板の後方に位置させた状態で、上板にしっかりと固定できるようになる。
【００１３】
本願発明の取付装置は、前記可動部材を前記第１位置と前記第２位置の間で移動させるための操作を行うための操作手段を備えていても良い。この場合の操作手段は、前側から操作できるようになっていても良い。そうすることで、例えばパチンコホールの従業者が設置台ユニットにパチスロ遊技機を着脱する際に、可動部材を第１位置から第２位置に移動させるための操作（設置台ユニットにパチスロ遊技機の固定を行うときに必要である。）、或いは第２位置から第１位置に移動させるための操作（設置台ユニットに固定されたパチスロ遊技機の固定を解除するときに必要である。）を楽に行えるようになる。
前記設置台ユニットの前記パチスロ遊技機の上方の所定の位置には板で隠された開口が設けられているとともに、その板を移動させることによって開放できるようになっている場合がある。例えば、パチスロ遊技機の上方には遊技者が店員を呼ぶときに用いられる呼び出しランプが取付けられているのが通例であるが、呼び出しランプが固定されている板は一般に、取外しができるか、或いはその上端のヒンジにより上方に回動させることにより、その板により隠された開口を露出させられるようになっている。
その場合、前記操作手段は、前記開口の後側に、その操作が行われる部分である操作部が位置するようになっていても良い。そうすることにより、操作手段の操作がより楽になる。
【図面の簡単な説明】
【００１４】
【図１】本実施形態による取付装置が取付けられる設置台ユニットの構成を示す側面図。
【図２】本実施形態による取付装置をやや左よりの前方、上方から見た状態を示す斜視図。
【図３】本実施形態による取付装置をやや右よりの後方、上方から見た状態を示す斜視図。
【図４】本実施形態による取付装置の分解斜視図。
【図５】本実施形態による取付装置の正面図。
【図６】本実施形態による取付装置の背面図。
【図７】本実施形態による取付装置の平面図。
【図８】本実施形態による取付装置の側面図。
【図９】本実施形態による取付装置の使用状態を示す側面図。
【図１０】本実施形態による取付装置の変形例を示す斜視図。
【図１１】本実施形態による取付装置の他の変形例を示す斜視図。
【発明を実施するための形態】
【００１５】
以下に、本願発明を実施するための最良の実施形態を、図面を参照しつつ説明する。
【００１６】
まず、本願発明のパチスロ遊技機が取付けられる設置台ユニットについて説明する。設置台ユニットは、パチスロ遊技機が一台だけ取付けられるものであっても良いが、この実施形態の設置台ユニットは、複数台のパチスロ遊技機が横並びにして取付けられるものであり、一般店舗に普通に配置されている、島と呼ばれる構造物である。
【００１７】
島である設置台ユニット５００の構造の一例を図１の側面図に示す。なお、この設置台ユニット５００は図１における左右両面にパチスロ遊技機６００を配置することができるようなものとなっているが、設置台ユニット５００は、その片面にパチスロ遊技機６００を配置することができるようになっていれば足りる。
なお、既に述べたように、この実施形態においても、前後の概念はパチスロ遊技機６００の前後の概念に従う。図１において左側に描かれたパチスロ遊技機６００及びそれを固定するための取付装置１００について説明するときは、「前」が図中の左方向となり、図１において右側に描かれたパチスロ遊技機６００及びそれを固定するための取付装置１００について説明するときは、「前」が図中の右方向になるので注意されたい。
【００１８】
設置台ユニット５００は、これには限られないが、骨材で組まれた土台部５１０、土台部５１０の上に、隣接するもの同士の間に概ねパチスロ遊技機の横幅に対応する間隔を空けて立てられた複数本の柱５３０、柱５３０の上に設けられた頭部５４０を備えている。
柱５３０の下端付近には、下板５５０が固定されている。下板５５０はその上にパチスロ遊技機６００が載置される事実上水平な板である。
パチスロ遊技機６００は下板５５０の上に載置され設置台ユニット５００に固定されたとき、その前端と下板５５０の前縁が略揃うか、下板５５０の前縁からその前端が僅かに食み出でるようにされる。また、パチスロ遊技機６００は、下板５５０の上に載置され設置台ユニット５００に固定されたとき、その後端が下板５５０の後縁から食み出でるようにされる。下板５５０の大きさと、設置台ユニット５００に対する取付け位置は、下板５５０にパチスロ遊技機６００を載置したときに、下板５５０とパチスロ遊技機６００の関係を上述の如くに調整できるように設計されている。
【００１９】
下板５５０の上方、頭部５４０の下方には、上板５６０が固定されている。上板５６０はパチスロ遊技機６００が下板５５０に載置されたときに、パチスロ遊技機６００の直上に位置する、事実上水平な板である。
パチスロ遊技機６００は下板５５０の上に載置され設置台ユニット５００に固定されたとき、その前端が上板５６０の前縁５５０から食み出、その後端が上板５６０の後縁から食み出でるようにされている。上板５５０の大きさと、設置台ユニット５００に対する取付け位置は、下板５５０にパチスロ遊技機６００を載置し設置台ユニット５００に固定したときに、上板５６０とパチスロ遊技機６００の関係を上述の如くに調整できるように設計されている。
【００２０】
この実施形態の設置台ユニット５００は、ドル箱を置くためのドル箱置き場５７０を備えている。ドル箱置き場５７０は、上板５６０の上方に設けられている。
上板５６０の後縁には、そこから垂直に立ち上がる背面板５６１の下縁が接続されている。背面板５６１の上縁には、また、そこから前方へ水平に伸びる天板５６２の後縁が接続されている。天板５６２は、また、設置台ユニット５００の頭部５４０にも固定されている。
これら、上板５６０の上面、背面板５６１の前面、及び天板５６２の下面で形成された断面略コの字型の面に囲まれた空間がドル箱置き場５７０である。ドル箱置き場５７０は、パチスロ遊技機６００単位で区切られており、また必要に応じてその内周面が適当な方法で化粧されている。
また、頭部５４０の前方には飾り板５４１がある。飾り板５４１は頭部５４０の内部を目隠しするためのものである。頭部５４０の内部には、飾り板５４１に、或いは飾り板５４１の直下に取付けられる図示を省略の呼び出しランプや、或いはパチスロ遊技機６００を必要に応じて制御するのに用いられる、回路や配線が存在している。例えば、それらにメンテナンスの要が生じたときに、店舗の従業員がそれを行えるようにするために、頭部５４０は開口５４２を有している。飾り板５４１は頭部５４０の開口５４２を塞ぐことで、頭部５４０の内部を目隠しできるようになっている。
他方、飾り板５４１は、図１に示した位置から移動させることで、開口５４２を、或いは頭部５４０の内部を露出させることができるようになっている。これには限られないが、この実施形態の飾り板５４１は、その上縁が、頭部５４０に対して図示を省略のヒンジによりヒンジ接続されており、当該ヒンジを介して回動させることにより上方に跳ね上げられるようになっている。飾り板５４１が上方に跳ね上げられると、開口５４２が、即ち、頭部５４０の内部が露出するようになっている。
【００２１】
次に、パチスロ遊技機６００を設置台ユニット５００に着脱自在に固定するためのパチスロ遊技機６００の取付装置１００の構成について説明する。
【００２２】
取付装置１００は、図２の正面やや上方向から見た状態を示す斜視図、図３の背面やや上方向から見た状態を示す斜視図、図４の分解図、図５の正面図、図６の背面図、図７の平面図、図８の側面図に示されたように構成されている。
【００２３】
取付装置１００は、本体１１０を備えている。本体１１０は、側面視で、下方が開放された断面略コの字型をしている。
本体１１０は、前側の板である、横長の細長い略矩形の前側板１１１と、後側の板である、前側板１１１よりは短いものの横長の細長い略矩形の後側板１１２と、前側板１１１と後側板１１２とをその上縁同士で繋ぐ、一部に矩形の開口１１３Ａが設けられた横長の細長い板である上側板１１３とを備えている。前側板１１１と後側板１１２は、平行である。
前側板１１１と、後側板１１２の上方寄りで且つ正面から見て右側寄りの互いにの対応した位置には、必ずしもこの限りではないがともに同じ径で円形の、前側孔（図示を省略）と、後側孔１１２Ａがそれぞれ穿たれている。前側孔と、後側孔１１２Ａには、円筒形状の固定棒１１４がそれらを貫通させられた状態で固定される。固定棒１１４の機能、役割については後述するが、固定棒１１４の一端側には、前側孔を通過できない大きさの抜け止部１１４Ａが設けられており、また固定棒１１４の他端側には、後側板１１１の後側で固定棒１１４に噛ませられる、後側孔１１２Ａよりも大径のイーリング１１５を噛ませるための溝１１４Ｂが切られている。固定棒１１４は、その他端側を前側孔と後側孔１１２Ａを順に貫通させ、且つその他端側の溝１１４Ｂにイーリング１１５を噛ませることにより、その両端が前側孔と、後側孔１１２Ａから抜けないような状態で、前側孔と、後側孔１１２Ａに固定されるようになっている。
前側板１１１と、後側板１１２の上側縁の正面から見て左寄りの互いに対応した位置には、切り欠き状に形成された凹部１１１Ｂ、１１２Ｂが設けられている。
【００２４】
上側板１１３の開口１１３Ａの正面から見て右側寄りの部分は、側面視コの字型の第１蓋部材１１３Ｂで閉じられるようになっている。第１蓋部材１１３Ｂは、本体１１０を跨いだ状態で、ネジ１１３Ｂ１により、本体１１０に螺合により固定されるようになっている。上側板１１３の開口１１３Ａの正面から見て左側寄りの部分は、その上面がその長手方向に沿って中央で分割されはいるものの、２つ併せて側面視コの字型となるようになっている第２蓋部材１１３Ｃで閉じられるようになっている。第２蓋部材１１３Ｃは、本体１１０の内側にその垂直方向の板を挿しこんだ状態で、ネジ１１３Ｃ１により、本体１１０に螺合により固定されるようになっている。
上側板１１３に開口１１３Ａが設けられており、且つそれを第１蓋部材１１３Ｂと第２蓋部材１１３Ｃで閉じることにしているのは、主に、取付装置１００の組立の際に必要である、という理由からである。そのような理由がないのであれば、開口１１３Ａや、第１蓋部材１１３Ｂ、及び第２蓋部材１１３Ｃは特に必要ない。なお、第２蓋部材１１３Ｃの垂直方向の板には、レンチ凹部材（後述）と干渉しないように、上向きに凸の図示せぬ切欠きが設けられている。第２蓋部材１１３Ｃに設けられた切欠きと、凹部１１１Ｂ、１１２Ｂに嵌り込んでレンチ凹部材は、上下左右には移動できなくなる。
上側板１１３の長さ方向の両端付近には、上第１孔１１３Ｄが設けられている。上第１孔１１３Ｄは、後述する貫通ボルトを上下に貫通させるためのものである。
上側板１１３の２つの上第１孔１１３Ｄの内側にはそれぞれ、上第２孔１１３Ｅ、及び上第３孔１１３Ｆが設けられている。上第２孔１１３Ｅ、及び上第３孔１１３Ｆは、後述するバネの上端を係止させるのに用いられる。
【００２５】
本体１１０は、固定部材１１６を備えている。固定部材１１６は、取付装置１００を上板５６０に固定するために用いられるものである。固定部材１１６は、断面略Ｌ字型をしており、水平に伸びる水平部１１６Ａと垂直に伸びる垂直部１１６Ｂとを有している。固定部材１１６の水平部１１６Ａと、垂直部１１６Ｂの少なくとも一方には、固定部材１１６を上板５６０にネジ止めするときにネジを貫通させるネジ孔が設けられている。ネジ孔は、その内部にネジ切りがなされている必要はない。この実施形態では、水平部１１６Ａにはネジ孔１１６Ａ１が、垂直部１１６Ｂにはネジ孔１１６Ｂ１がそれぞれ穿たれている。
【００２６】
本体１１０には、また、駆動リンク１２０が取付けられている。これは、本願における操作手段に相当するものである。
駆動リンク１２０は、本体部の背面に固定された取付部材１２１と、取付部材１２１の上側に固定された支持部材１２２と、それらを互いに繋ぐ、いずれも板状の、第１リンク部材１２３、第２リンク部材１２４、及び第３リンク部材１２５とを含んでいる。第１リンク部材１２３と第２リンク部材１２４はネジ１２７Ａで、第２リンク部材１２４と第３リンク部材１２５はネジ１２７Ｂでそれぞれ接続されているが、第１リンク部材１２３と第２リンク部材１２４はネジ１２７Ａを介して、互いの角度を変化させることができるようになっており、また、第２リンク部材１２４と第３リンク部材１２５は、ネジ１２７Ｂを介して、互いの角度を変化させることができるようになっている。
支持部材１２２には、それを前後に貫くようにして、駆動軸１２６が取付けられている。駆動軸１２６の前側端部には、六角レンチをその内部に嵌め込むことができるレンチ穴１２６Ａが設けられた頭部１２６Ｂが設けられている。駆動軸１２６の後側端部は、第１リンク部材１２３を貫いており、駆動軸１２６の後端側端部は、第１リンク部材１２３に取付けられている。
第３リンク部材１２５にはまた、六角レンチの先端に相当する六角形の断面を有するレンチ凸部材１２８が固定的に取付けられている。レンチ凸部材１２８は、水平であり、本体１１０の内部に入り込むような長さとされているが、この実施形態では、第３リンク部材１２５を貫いている。レンチ凸部材１２８の本体１１０の内部に入り込んでいる側の端部は、後述するような方法で第２駆動軸に接続されている。
以上のような駆動リンク１２０は、取付装置１００を背面から見た場合、駆動軸１２６の中心、ネジ１２７Ａの中心、ネジ１２７Ｂの中心、及びレンチ凸部材１２８の中心を繋いだ形状が略平行四辺形を保つようになっている。そして、その平行四辺形は、変形可能である。駆動リンク１２０の役割は、駆動軸１２６の回転を、レンチ凸部材１２８に伝達することである。駆動軸１２６を、そのレンチ穴１２６Ａに所定の六角レンチの先端を挿入して回転させると、その回転が、第１リンク部材１２３、第２リンク部材１２４、第３リンク部材１２５を介して、レンチ凸部材１２８に伝え、レンチ凸部材１２８が回転するようになっている。
【００２７】
取付装置１００は、また、本体１１０に対して上下に移動する可動長部材１３０を備えている。
可動長部材１３０は、本体１１０の長手方向の長さに略一致する長さを有する、横長に構成されている。可動長部材１３０は、図４に示したように、上が開いた断面略コの字型形状をしている。
可動長部材１３０は、底面に相当する略矩形の底板１３１と、底板１３１の両縁から立ち上った、その上縁の中ほどが一段下がった略矩形の側板１３２とを備えている。両側板１３２は平行であり、前側板１１１と後側板１１２の間隔よりもその間隔が幾らか狭い。
可動長部材１３０は、本体１１０の前側板１１１と後側板１１２との間に、その両側板１３２を嵌め込むようにして、本体１１０に組み付けられるようになっている。
底板１３１の上側の面には、図示を省略するが、バネ１３３を係止するための係止部材が設けられている。係止部材は、可動長部材１３０が本体１１０に組み付けられたときに、本体１１０の上第２孔１１３Ｅと上第３孔１１３Ｆの間の直下に位置する位置に設けられている。バネ１３３の両端には、係止部１３３Ａが設けられている。バネ１３３は、可動長部材１３０を本体１１０に組み付ける際に、一方の係止部１３３Ａを、上第２孔１１３Ｅから上第３孔１１３Ｆに順に潜らせ、また他方の係止部１３３Ａを、係止部材に係止させた状態とし、両者を垂直方向で繋いだ状態とされる。そのときバネ１３３は、外力を加えていないときよりも引き伸ばされた状態となるようになっている。したがって、本体１１０に組み付けられた可動長部材１３０は、本体１１０に対してバネ１３３から常に上向きの付勢力を受けることになる。
底板１３１の、本体１１０の上第１孔１１３Ｄの直下に位置する部分には、両側板１３２の距離よりも僅かに小さいだけの対辺距離を持つため、回転しようとしても側板１３２と干渉してしまうため回転できない状態とされたナット１３４Ｃが配置されている。
両側板１３２の、その上縁が一段下がる左右の各部分の下方には、可動長部材１３０の長手方向に沿う方向に穿たれた、長い孔である長孔１３２Ａが設けられている。両側板１３２に設けられた長孔１３２Ａは、互いに対応する位置に設けられている。両側板１３２の対応した位置にある長孔１３２Ａには、断面円形の棒状体である軸棒１３２Ｂが貫通させられるようになっている。軸棒１３２Ｂの長さは、両側板１３２の間隔よりも長く、前側板１１１と後側板１１２との間隔よりも僅かに短くなっている。したがって、軸棒１３２Ｂは、可動長部材１３０が本体１１０に組み付けられたときに、長孔１３２Ａの長さ方向に移動可能ではあるものの、長孔１３２Ａから脱落しなくなる。
【００２８】
可動長部材１３０の下方には、押圧部材１４０が取付けられる。
押圧部材１４０は、可動長部材１３０の上下動に伴い上下動を行うものである。押圧部材１４０は、可動長部材１３０とその長さ方向の長さを略共通とする横長に構成されている。押圧部材１４０は可動長部材１３０と同様に、図４に示したように、上が開いた断面略コの字型形状をしている。
押圧部材１４０は、底面に相当する矩形の押圧板１４１と、押圧板１４１の両縁から立ち上がった、板である側方板１４２とを備えている。両側方板１４２は平行であり、それらの間隔は、前板１１１と後板１１２の間隔よりは狭く、可動長部材１３０の両側板１３２の間隔よりは広くなっている。押圧部材１４０は、その押圧板１４１の上面と、可動長部材１３０の底板１３１の下面の間に僅かな隙間を設けつつ、且つその両側方板１４２の内側面（互いに対向する面）と、可動長部材１３０の側板１３２の外側面とを接触させた状態となっている。
押圧部材１４０の押圧板１４１の下面は、後述するように、可動長部材１３０が第２位置にあるときに、パチスロ遊技機６００の上面に当接してパチスロ遊技機６００の上面を下方に押す面である。押圧板１４１の下面は、可動長部材１３０が第２位置にあるときに、押圧面１４１と下板５５０の間で、パチスロ遊技機６００が、転倒したり、移動したりしない程度の力で、パチスロ遊技機６００を設置台ユニット５００に固定できるようなものとされていればそれで足りる。
ただし、可動長部材１３０が第２位置にあるときにパチスロ遊技機６００の上面に加える力を分散させることを考慮するのであれば、押圧板１４１の下面の面積はある程度大きい方が好ましい。可動長部材１３０が第２位置にあるときにパチスロ遊技機６００の上面をよりよく固定できるようにするためには、押圧板１４１の下面のパチスロ遊技機６００の幅方向の長さは、ある程度長い方が好ましい。これには限られないが、この実施形態のパチスロ遊技機６００の押圧部材１４０は、パチスロ遊技機６００の上面に通常存在する開口やリブを想定し、そのような開口やリブがあったとしても、押圧部材１４０と下板５５０とで、パチスロ遊技機６００を挟持することができるような、形状、大きさとする。この実施形態では、押圧部材１４０及び押圧板１４１は、その幅方向が長手方向となる横長形状をしている。そして、この実施形態における、押圧板１４１の下面のパチスロ遊技機６００の幅方向の長さは、パチスロ遊技機６００の幅方向の長さの１／３以上となっている。もっとも、押圧板１４１のパチスロ遊技機６００の幅方向の長さは、パチスロ遊技機６００の幅方向の長さの２／３以上とするのがより好ましいし、パチスロ遊技機６００の幅方向の長さの８割以上とするのが更に好ましい。押圧板１４１の下面の長さが長くなればそれだけ、押圧部材１４０によるパチスロ遊技機６００の押圧によってもパチスロ遊技機６００を下板５５０との間で挟持できないという事態が生じにくくなる。押圧板１４１の下面の前後方向の長さは、例えば１ｃｍ〜１０ｃｍの間とされ、２ｃｍ〜８ｃｍが好ましいが、この実施形態では２．５ｃｍ程度とされている。
押圧部材１４０の側方板１４２における、可動長部材１３０の前板１１１と後板１１２の長孔１３２Ａが存在する部分に対応する部分は、切欠き１４２Ａが設けられており、その高さが切欠き１４２Ａのない部分よりも低くなっている。これは、長孔１３２Ａを貫通した軸棒１３２Ｂと側方板１４２との干渉を避けるためである。
押圧部材１４０の下側の面には、弾性部材１５０が取付けられる。弾性部材１５０は、必ずしもこの限りではないが、押圧部材１４０の下面の全面に取付けられている。弾性部材１５０は、例えばゴムでできている。弾性部材１５０の下面には、複数本の細い溝１５１が弾性部材１５０の長さ方向に平行に切られている。これは弾性部材１５０のパチスロ遊技機６００の上面への食付きを向上させるためのものである。溝１５１は、弾性部材１５０の下面に、弾性部材１５０の長さ方向に沿うようにして平行に存在している必要はなく、例えば、格子状に存在していても良い。
弾性部材１５０の上面には、これには限られないが複数の突出部１５２が設けられている。押圧部材１４０の押圧板１４１にはそれら突出部１５２に対応した位置に、それら突出部１５２に対応した形状の図示せぬ孔が穿たれており、その孔に突出部１５２を挿入した状態で、押圧部材１４０の押圧板１４１に、弾性部材１５０が固定される。かかる固定は、これには限らないが、この実施形態では、弾性部材１５０を貫いて、押圧板１４１に螺合により固定されるネジ１５３を用いて行われる。
【００２９】
可動長部材１３０の長さ方向の両側には、弾性機構１３４が設けられている。
弾性機構１３４は、可動長部材１３０に上下方向の多少の弾性を与えるためのものである。また、弾性機構１３４は可動長部材１３０と本体１１０との上下方向での距離の微調整を行う機能をも有している。
弾性機構１３４の構成は、図８の側面図に現れている。
弾性機構１３４は、下が開放した断面コの字型の格納部材１３４Ａを備えている。格納部材１３４Ａは、ネジ１３４Ａ１を用いて可動長部材１３０に固定されている。格納部材１３４Ａの上面には、本体１１０の上第１孔１１３Ｄの直下に位置するようにして、図示を省略の孔が穿たれている。
弾性機構１３４には、その外周にネジ切りのされた貫通ボルト１３４Ｂが含まれている。この貫通ボルト１３４Ｂは、可動長部材１３０と一体となって、本願発明における可動部材をなすものである。貫通ボルト１３４Ｂには、その孔の内周面にネジ切りのされたナット１３４Ｃが螺合されている。上述したように、ナット１３４Ｃは、回転不可能（完全に回転できない場合も含むが、遊びがあり制限された幾らかの範囲で回転できる場合も含み、この実施形態では、後者のようにされている。）にして嵌め込まれている。ナット１３４Ｃは底板１３１に固定されているわけではないので、底板１３１に対しての上下動を行えるようになっている。
貫通ボルト１３４Ｂは、本体１１０の上第１孔１１３Ｄと、格納部材１３４Ａの、本体１１０の上第１孔１１３Ｄの直下に位置する図示を省略の孔を上から貫通し、更にナット１３４Ｃを貫通して、押圧部材１４０の押圧板１４１にその先端が接続されている。貫通ボルト１３４Ｂは、その先端が押圧板１４１から離れないものの、押圧板１４１に対して回転することができるようになっている。言い換えれば、貫通ボルト１３４Ｂは押圧板１４１に接続されているが、押圧板１４１に対して空回りできるようになっている。必ずしもこの限りではないが、この実施形態では、貫通ボルト１３４Ｂと押圧板１４１の固定は、接続部材１３４Ｄを介して行われている。接続部材１３４Ｄは、互いに回転可能となっている２つの部材を備えており、それら部材の一方が貫通ボルト１３４Ｂに他方が押圧板１４１に固定されている。
また、ナット１３４Ｃの上面と、格納部材１３４Ａの上側の板の下面の間には、貫通ボルト１３４Ｂに貫かれた状態でバネ１３４Ｅが収納されている。このバネ１３４Ｅは、圧縮状態にあり、ナット１３４Ｃの上面と、格納部材１３４Ａの上側の板の下面には固定されてはいないが、両者を互いに押している。つまり、ナット１３４Ｃの上面は常に、下向きに付勢された状態にある。
弾性機構１３４において、貫通ボルト１３４Ｂを回転させると、ナット１３４Ｃは上述のように回転しないようになっているから、ナット１３４Ｃに螺合された貫通ボルト１３４Ｂは、上下に移動する。上述したように、貫通ボルト１３４Ｂの先端は、押圧部材１４０の押圧板１４１に接続されるから、貫通ボルト１３４Ｂが上下すると、押圧板１４１を含む押圧部材１４０が上下する。このようにして、貫通ボルト１３４Ｂを回転させることにより、本体１１０に対する押圧部材１４０乃至押圧板１４１の上下方向の位置を適当に微調整することができる。
また、弾性機構１３４において、押圧板１４１に上方向の力がかかると、押圧板１４１に接続された貫通ボルト１３４Ｂが上方向に上がろうとする。そうすると、貫通ボルト１３４Ｂに螺合されたナット１３４Ｃも上がろうとするが、ナット１３４Ｃはバネ１３４Ｅから下向きに付勢力を受けている。押圧板１４１にかかる上向きの力がある一定の範囲を超えると、押圧板１４１は、ナット１３４Ｃがバネ１３４Ｅから受ける下向きの付勢力に抗して、上向きに幾らか移動する。これは、押圧板１４１にかかる力が過剰になることを防ぐための仕組みとして機能する。
【００３０】
取付装置１００は、また、上下位置決め機構１６０を備えている。上下位置決め機構１６０は、可動長部材１３０の本体１１０に対する高さを決定する、或いは変化させるためのものである。かかる上下位置決め機構１６０によって、可動長部材１３０は、上方の第１位置と、それより下方の第２位置の２つの位置に位置決めできる。
上下位置決め機構１６０は、本体１１０に組み付けられた可動長部材１３０の中に、つまり、可動長部材１３０の両側板１３２の間に位置するようになっている。
上下位置決め機構１６０は、両端が面取りされた横長の互いに所定の間隔で平行に配置されたリンク板１６１と、リンク板１６１の一端側（図４の右側）に設けられた、リンク板１６１を挟むようにしてリンク板１６１に取付けられている一対の駆動板１６２と、リンク板１６１の他端側に設けられた、リンク板１６１を挟むようにしてリンク板１６１に取付けられている一対の小判型の連動板１６３とを備えている。両駆動板１６２には孔１６２Ａが、両連動板１６３には孔１６３Ａが、それぞれ対応する位置に穿たれている。
リンク板１６１の一端側の駆動板１６２に挟まれた部分の間には、円形で且つその中心に図示せぬ孔が穿たれた第１ホイール１６４が、また、リンク板１６１の他端側の連動板１６３に挟まれた部分の間には、円形で且つその中心に図示せぬ孔が穿たれた第２ホイール１６５が、それぞれ配置されている。第１ホイール１６４と第２ホイール１６５の直径は、リンク板１６１の上下の高さよりも若干長い。
両リンク板１６１の一端側と他端側には、孔（図示を省略）が穿たれている。これら孔のうち図４の右側に示されたものと、駆動板１６２の孔１６２Ａと、第１ホイール１６４の孔は図４の右側の軸棒１３２Ｂにまとめて貫かれ、また、これら孔のうち図４の左側に示されたものと、連動板１６３の孔１６３Ａと、第２ホイール１６５の孔は図４の左側の軸棒１３２Ｂにまとめて貫かれている。その状態で、第１ホイール１６４と第２ホイール１６５は可動長部材１３０の底板１３１にそれらの下端で接触している。第１ホイール１６４と第２ホイール１６５は、軸棒１３２Ｂを軸として回転できるようになっている。また、両リンク板１６１に対して、駆動板１６２は軸棒１３２Ｂを軸として回転できるようになっている。
２枚の連動板１６３の孔１６３Ａが穿たれたのとは反対側の端部は、中空の円筒形のパイプ１６３Ｂで連結されている。パイプ１６３Ｂの孔は、連動板１６３の外側に向けて露出している。パイプ１６３Ｂは、固定棒１１４によって貫通されている。パイプ１６３Ｂ乃至連動板１６３は、固定棒１１４を軸として回転できるが、固定棒１１４は本体１１０に固定されていて動かない。他方、上述のように連動板１６３は、軸棒１３２Ｂを軸としてリンク板１６１に対して回転できるようになっている。軸棒１３２Ｂが長孔１３２Ａの長さ方向に沿って移動できることもあり、連動板１６３はその角度を水平に近い角度から垂直に近い角度に移動できるようになっている。
また、２枚の駆動板１６２の孔１６２Ａが穿たれたのと反対側には、上述のレンチ凸部材１２８を挿入することのできる断面六角形の穴である駆動穴１６２Ｂ１を備えたレンチ凹部材１６２Ｂが取付けられている。レンチ凸部材１２８は、駆動穴１６２Ｂ１に挿入されており、これによりレンチ凸部材１２８とレンチ凹部材１６２Ｂが連結されている。
上下位置決め機構１６０は、以下のように機能するようになっている。
上述したように、駆動リンク１２０は、駆動軸１２６の回転を、回転の角度をレンチ凸部材１２８に伝える。そうすると、その回転は、レンチ凸部材１２８が挿入されたレンチ凹部材１６２Ｂに伝えられる。
レンチ凸部材１２８が例えば、時計回りに回転すると、駆動板１６２の下端が図４の左方向に移動する。そうすると、第１ホイール１６４、第２ホイール１６５とともに２本の軸棒１３２Ｂにそれぞれ貫通されているリンク板１６１が、図４の左方向に移動する。そうすると、連動板１６３は、固定棒１１４を軸として回転するが、そのとき、連動板１６３の固定棒１１４に軸支されている部分は上下左右に動けないので、その下端が水平に図４の左方向に移動し、結果として寝た状態となる。このとき、連動板１６３は、本体１１０の上側板１１３に接触しない状態となる。そうすると、上述したように、可動長部材１３０にはバネ１３３により常に上向きの付勢力が働いているから、可動長部材１３０は、上方に持ち上がり、その位置を保つ。このときの可動長部材１３０の位置が本願における第１位置である。
また、レンチ凸部材１２８が例えば、反時計回りに回転すると、駆動板１６２の下端が図４の右方向に移動する。そうすると、第１ホイール１６４、第２ホイール１６５とともに２本の軸棒１３２にそれぞれ貫通されているリンク板１６１が、図４の右方向に移動する。そうすると、連動板１６３は、固定棒１１４を軸として回転するが、そのとき、連動板１６３の固定棒１１４に軸支されている部分は上下左右に動けないので、その下端が水平に図４の右方向に移動し、結果として立ち上がる。このとき、連動板１６３は、本体１１０の上側板１１３に押す力を加える。そうすると、上述したように、可動長部材１３０にはバネ１３３により常に上向きの付勢力が働いているが、連動板１６３は、より詳細に言えば、第１ホイール１６４と第２ホイール１６５は、その下端で可動長部材１３０の底板１３１を、上述の付勢力に抗して押し下げる。このときの可動長部材１３０の位置が本願における第２位置である。
【００３１】
以上説明した取付装置１００の使用方法と動作について説明する。
【００３２】
この取付装置１００は、遊技場の島である設置台ユニット５００の上板５６０に取付けて用いられる。より具体的には、本体１１０の前側に取付けられた固定部材１１６の水平部１１６Ａの上面を上板５６０の下面に当接させ、垂直部１１６Ｂの前面を上板５６０の背面に当接させた状態で、上板５６０に取付けられる。上板５６０への固定部材１１６の固定は、水平部１１６Ａに設けられたネジ孔１１６Ａ１を貫通させたネジを上板５６０に上方向に打込むか、垂直部１１６Ｂに設けられたネジ孔１１６Ｂ１を貫通させたネジを上板５６０に前向きに打込むか、或いはその両方を行うかによる。
こうして、取付装置１００は、上板５６０の後方に位置するようにして、上板５６０に取付けられる（図９）。したがって、上板５６０の上方にドル箱置き場５７０が存在しても取付装置１００を上板５６０に固定するに問題は生じない。
このように取付けた取付装置１００により、設置台ユニット５００にパチスロ遊技機６００を着脱自在に固定できるようになる。
【００３３】
設置台ユニット５００にパチスロ遊技機６００を固定するには、まず設置台ユニット５００の下板５６０にパチスロ遊技機６００を載置する。パチスロ遊技機６００は、下板５５０の前側に載置されてから、後側に押され適当な位置に位置決めされる。なお、図９では、下板５５０にパチスロ遊技機６００の下端の後面に当接して、パチスロ遊技機６００の前後方向の位置決めを行うための器具３００も図示されているが、本願発明とは関係がないものなので、それについての詳細な説明は省略する。
パチスロ遊技機６００が適切に位置決めされると、パチスロ遊技機６００の前端が上板５６０の前縁から食み出、その後端が上板５６０の後縁から食み出でた状態となり、パチスロ遊技機６００の前端と下板５５０の前縁が略揃うか、下板５５０の前縁からその前端が僅かに食み出で、その後端が下板５５０の後縁５５０から食み出でた状態となる。
【００３４】
この状態では、可動長部材１３０は第１位置にある。
その状態で駆動リンク１２０の操作を行う。この駆動リンク１２０の操作の前後においては、パチスロ遊技機６００のホッパーの取外しは不要である。
この実施形態における設置台ユニット５００では、飾り板５４１を上方に跳ね上げることにより露出された開口５４２から作業者が手を入れることにより駆動リンク１２０の操作を行うことができる。駆動リンク１２０の操作は、駆動軸１２６に設けられたレンチ穴１２６Ａに六角レンチを挿入し、六角レンチを回転させることにより行う。
なお、この実施形態では、開口５４２がドル箱置き場５７０の上にあるから、比較的低い位置にあるレンチ穴１２６Ａに六角レンチを挿入し、六角レンチを回転させるのは難しい。その意味では、これまでに説明した取付装置１００は、開口５４２が比較的低い位置にある設置台ユニット５００、例えばドル箱置き場５７０のない設置台ユニット５００との相性が良い。そして、レンチ穴１２６Ａに六角レンチを挿入しやすくすることを考慮するのであれば、レンチ穴１２６が開口５４２の背後に来るように、レンチ穴１２６Ａの位置を上方に持ってくるのが好ましい。それは例えば、図１０に示したような取付装置１００を用いることにより可能となる。
図１０に示した取付装置１００は、これまでに説明した取付装置１００とその構成は殆ど同じであるが、唯一その駆動リンク１２０のうちの、取付部材１２１と第２リンク部材１２４の長さのみが異なっている。図１０に示した取付装置１００では、それらの長さが、これまでに説明した取付装置１００におけるそれらよりも長い。そうすることによって、レンチ穴１２６の位置を上方に上げることができる。もっとも、レンチ穴１２６の位置は、例えば、回転を伝達する目的で公知の他の技術を利用することにより、例えば、タイミングベルトを用いたり、或いは、回転運動を伝達することのできる柔軟なフレキシブルシャフトを用いたりすることによっても、変更することは可能である。
いずれにせよ、駆動軸１２６を、そのレンチ穴１２６Ａに六角レンチの先端を挿入して回転させると、その回転が、第１リンク部材１２３、第２リンク部材１２４、第３リンク部材１２５を介してそのままの角度で、レンチ凸部材１２８に伝わり、レンチ凸部材１２８が、六角レンチを回転させた角度だけ回転する。また、六角レンチを回転させる角度を選択することにより、駆動軸１２６の回転する方向を選択することができる。
【００３５】
六角レンチは、可動長部材１３０を第１位置から第２位置へ移動させる向きに、それが可能な角度、回転させられる。
可動長部材１３０を第１位置から第２位置へ移動させるには、レンチ凸部材１２８が、図４の向きから見たときに、反時計回りに回転する向きに、六角レンチを回転させれば良い。
レンチ凸部材１２８を、反時計回りに回転させると、駆動板１６２の下端が図４の右方向に移動する。そうすると、第１ホイール１６４、第２ホイール１６５とともに２本の軸棒１３２Ｂにそれぞれ貫通されているリンク板１６１が、図４の右方向に移動する。そうすると、連動板１６３は、立ち上がる。このとき、連動板１６３は、本体１１０の上側板１１３に押す力を加える。そうすると、上述したように、可動長部材１３０にはバネ１３３により常に上向きの付勢力が働いているものの、連動板１６３に取付けられた第１ホイール１６４と第２ホイール１６５が、その下端で可動長部材１３０の底板１３１を、上述の付勢力に抗して押し下げる。
可動長部材１３０が第２位置に位置すると、可動長部材１３０に取付けられた押圧部材１４０の押圧板１４１の下面が、より詳細には押圧板１４１の下面に取付けられた弾性部材１５０の下面が、上板５６０の後ろに食み出したパチスロ遊技機６００の上面を下向きに押圧する。これにより、パチスロ遊技機６００は、下板５５０と押圧部材１４０の間で挟持された状態となる。
なお、このとき、弾性機構１３４は、パチスロ遊技機６００に過度の力がかかるのを防止する。それは、以下のようにして実現される。押圧板１４１に上方向の力がかかると、押圧板１４１に接続された貫通ボルト１３４Ｂが上方向に上がろうとする。そうすると、貫通ボルト１３４Ｂに螺合されたナット１３４Ｃも上がろうとするが、ナット１３４Ｃはバネ１３４Ｅから下向きに付勢力を受けている。押圧板１４１にかかる上向きの力がある一定の範囲を超えると、押圧板１４１は、ナット１３４Ｃがバネ１３４Ｅから受ける下向きの付勢力に抗して、上向きに幾らか移動する。これにより、押圧板１４１にかかる力は過剰にならない。
なお、可動長部材１３０を第２位置に位置させたときにおける押圧板１４１の上下方向の位置が適切ではないために押圧板１４１がパチスロ遊技機６００に与える下向きの力が適切ではない場合がある。その場合には、貫通ボルト１３４Ｂを適当な向きに回転させることにより、貫通ボルト１３４Ｂを上下させることにより、本体１１０に対する押圧板１４１の上下方向の位置を調整することが可能である。かかる調整は、可動長部材１３０が第２位置にあるときに行っても良いし、第１位置にあるときに行っても良い。
【００３６】
また、パチスロ遊技機６００の入れ替えの必要が生じた場合などには、以下のように、可動長部材１３０を第１位置にすることにより、取付装置１００によるパチスロ遊技機６００の設置台ユニット５００への固定を解けば良い。
その場合には、レンチ穴１２６Ａに挿入した六角レンチを、可動長部材１３０を第２位置から第１位置へ移動させる向きに、それが可能となるだけ回転させれば良い。
可動長部材１３０を第２位置から第１位置へ移動させるには、レンチ凸部材１２８が、図４の向きから見て時計回りに回転する向きに、六角レンチを回転させれば良い。
レンチ凸部材１２８を、時計回りに回転させると、駆動板１６２の下端が図４の左方向に移動する。そうすると、第１ホイール１６４、第２ホイール１６５とともに２本の軸棒１３２Ｂにそれぞれ貫通されているリンク板１６１が、図４の左方向に移動する。そうすると、連動板１６３は、寝た状態となる。このとき、連動板１６３は、本体１１０の上側板１１３に接触しない状態となる。そうすると、上述したように、可動長部材１３０にはバネ１３３により常に上向きの付勢力が働いているから、可動長部材１３０は、上方に持ち上がる。
可動長部材１３０が第１位置に位置すると、可動長部材１３０に取付けられた押圧部材１４０の押圧板１４１の下面が、より詳細には押圧板１４１の下面に取付けられた弾性部材１５０の下面が、上板５６０の後ろに食み出したパチスロ遊技機６００の上面から離れる。これにより、パチスロ遊技機６００は、下板５５０と押圧部材１４０の間で挟持されていない状態となるから、パチスロ遊技機６００の設置台ユニット５００への固定は解除される。
以上のようにこの取付装置１００を用いれば、設置台ユニット５００へのパチスロ遊技機６００の固定も、固定の解除も、殆どワンアクションで行える。
【００３７】
なお、以上で説明した取付装置１００では、その押圧部材１４０の押圧板１４１の下面の全面に弾性部材１５０が取付けられていたが、例えば図１１に示したように、弾性部材１５０は押圧板１４１の一部にのみ取付けられていても構わない。図１１の例では、弾性部材１５０は押圧板１４１の下面の両端付近にのみ取付けられている。
【符号の説明】
【００３８】
１００  取付装置
１１１  前側板
１１１Ｂ  凹部
１１２  後側板
１１２Ａ  後側孔
１１２Ｂ  凹部
１１３  上側板
１１３Ａ  開口
１１３Ｂ  第１蓋部材
１１３Ｃ  第２蓋部材
１１３Ｃ１  ネジ
１１３Ｄ  上第１孔
１１３Ｅ  上第２孔
１１３Ｆ  上第３孔
１１３Ｂ１  ネジ
１１４  固定棒
１１４Ａ  抜け止部
１１４Ｂ  溝
１１５  イーリング
１１６  固定部材
１１６Ａ  水平部
１１６Ａ１  ネジ孔
１１６Ｂ  垂直部
１１６Ｂ１  ネジ孔
１２０  駆動リンク
１２１  取付部材
１２２  支持部材
１２３  第１リンク部材
１２４  第２リンク部材
１２５  第３リンク部材
１２６  駆動軸
１２６Ａ  レンチ穴
１２６Ｂ  頭部
１２７Ａ  ネジ
１２７Ｂ  ネジ
１２８  レンチ凸部材
１３０  可動長部材
１３１  底板
１３２  側板
１３２Ａ  長孔
１３２Ｂ  軸棒
１３３  バネ
１３３Ａ  係止部
１３４  弾性機構
１３４Ａ  格納部材
１３４Ａ１  ネジ
１３４Ｂ  貫通ボルト
１３４Ｃ  ナット
１３４Ｄ  接続部材
１３４Ｅ  バネ
１４０  押圧部材
１４１  押圧板
１４２  側方板
１４２Ａ  切欠き
１５０  弾性部材
１５１  溝
１５２  突出部
１５３  ネジ
１６０  上下位置決め機構
１６１  リンク板
１６２  駆動板
１６２Ａ  孔
１６３  連動板
１６３Ａ  孔
１６３Ｂ  パイプ
１６４  第１ホイール
１６５  第２ホイール
５００  設置台ユニット
５４１  飾り板
５４２  開口
５５０  下板
５６０  上板
５７０  ドル箱置き場
６００  パチスロ遊技機
【図１】
2015173924.tif 000003
【図２】
2015173924.tif 000004
【図３】
2015173924.tif 000005
【図４】
2015173924.tif 000006
【図５】
2015173924.tif 000007
【図６】
2015173924.tif 000008
【図７】
2015173924.tif 000009
【図８】
2015173924.tif 000010
【図９】
2015173924.tif 000011
【図１０】
2015173924.tif 000012
【図１１】
2015173924.tif 000013